(57)【特許請求の範囲】
【請求項１】
情報の読み出しが可能なＩＣチップと、前記ＩＣチップが搭載される基材上に互いに所定の間隔を有して形成され、前記ＩＣチップと電気的に接続された導電性の２つのアンテナパターンとからなり、前記アンテナパターンが前記ＩＣチップに対する情報の読み出しを行う装置に近接した際に前記アンテナパターンと前記装置との間にて静電誘導を生じさせることにより前記ＩＣチップに対する情報の読み出しが行われる記録媒体において、
前記アンテナパターンの内部に、当該アンテナパターンの部分的な欠落により所定の情報が表示されていることを特徴とする記録媒体。
【発明の詳細な説明】
【０００１】
【発明の属する技術分野】
本発明は、非接触状態にて情報の読み出しが可能な記録媒体に関する。
【０００２】
【従来の技術】
近年、情報化社会の進展に伴って、情報をカードに記録し、該カードを用いた情報管理や決済等が行われている。
【０００３】
このような情報管理や決済等に用いられるカードとしては、近年、専用の装置に近接させるだけで情報の書き込み及び読み出しを行うことができる非接触型ＩＣカードが、セキュリティ性が高いとともに書き込み可能な情報量が多く、また、１枚のカードを多目的に使用でき、また、取り扱いに便利であるという利点を有することから、市場における普及度が増加の一途を辿っている。
【０００４】
この非接触型ＩＣカードとしては、交流磁界によるコイルの相互誘導を利用した電磁結合方式のものと、２つのコイルの誘電磁束による誘起電力を利用した電磁誘導方式のものと、マイクロ波によってデータを送受信するマイクロ波方式のものと、カード側と外部に設けられた情報書込／読出装置のアンテナ間をコンデンサ原理で帯電させて通信を行う静電結合方式のものと、近赤外線光を高速で点滅させて光のエネルギー変調を用いた光方式のものとがある。
【０００５】
図７は、静電結合方式の非接触型ＩＣカードの構造の一例を示す図であり、（ａ）は表面構造を示す図、（ｂ）は断面図である。
【０００６】
図７に示すように本従来例においては、ベース材１１５に、導電性を有するアンテナパターン１１２ａ，１１２ｂが互いに所定の間隔を有して形成されており、そのアンテナパターン１１２ａ，１１２ｂを跨ぐように、接点１１６ａ，１１６ｂを介してアンテナパターン１１２ａ，１１２ｂとそれぞれ接続されたＩＣチップ１１１が接着剤１１４によって剥離可能に接着されている。また、アンテナパターン１１２ａ，１１２ｂ及びＩＣチップ１１１が設けられた面と反対側の面が情報印字面１１９となっており、非接触型ＩＣカード１１０の所有者や用途に関する所定の情報が印字されている。
【０００７】
上記のように構成された静電結合方式の非接触型ＩＣカード１１０においては、アンテナパターン１１２ａ，１１２ｂと外部の情報書込／読出装置（不図示）のアンテナとの間にてコンデンサ原理で帯電を生じさせ、それにより、ＩＣチップ１１１に対する情報の書き込み及び読み出しが行われる。
【０００８】
以下に、上記のように構成された非接触型ＩＣカード１１０の製造方法について説明する。
【０００９】
図８は、図７に示した非接触型ＩＣカード１１０の製造方法を説明するためのフローチャートである。
【００１０】
まず、ベース材１１５上に、導電性を有するアンテナパターン１１２ａ，１１２ｂを互いに所定の間隔を設けて形成する（ステップＳ１０１）。このアンテナパターン１１２ａ，１１２ｂの形成は、金属エッチング等によって行われる。
【００１１】
次に、ベース材１１５上に、アンテナパターン１１２ａ，１１２ｂを跨ぐようにＩＣチップ１１１を搭載する（ステップＳ１０２）。なお、アンテナパターン１１２ａ，１１２ｂとＩＣチップ１１１とは、接点１１６ａ，１１６ｂを介して互いに電気的に接続されるように接着剤１１４によって剥離可能に接着される。
【００１２】
次に、アンテナパターン１１２ａ，１１２ｂが形成された面とは反対側の面となる情報印字面１１９に、非接触型ＩＣカード１１０の所有者や用途に関する所定の情報を印字する（ステップＳ１０３）。
【００１３】
その後、ＩＣチップ１１１に対して、外部に設けられた情報書込／読出装置（不図示）によって所定の情報を電気的に書き込む（ステップＳ１０４）。なお、ＩＣチップ１１１に対する情報の書き込みにおいては、情報書込／読出装置に設けられたアンテナ（不図示）とアンテナパターン１１２ａ，１１２ｂ間をコンデンサ原理で帯電させてＩＣチップ１１１内に電流を流すことにより行われる。
【００１４】
図９は、電磁誘導方式の非接触型ＩＣカードの構造の一例を示す図であり、（ａ）は表面構造を示す図、（ｂ）は断面図である。
【００１５】
図９に示すように本従来例においては、ベース材１２５ａ上に、導電性を有するコイル状のアンテナパターン１２２が形成されており、そのアンテナパターン１２２上に、接点１２６を介してアンテナパターン１２２と接続されたＩＣチップ１２１が接着剤１２４によって接着されている。さらに、ベース材１２５ａとにおいてＩＣチップ１２１及びアンテナパターン１２２を挟むように、ベース材１２５ｂがＩＣチップ１２１及びアンテナパターン１２２に圧着されている。
【００１６】
上記のように構成された電磁誘導方式の非接触型ＩＣカード１２０においては、外部に設けられた情報書込／読出装置（不図示）に近接すると、情報書込／読出装置から出力される電磁波によってアンテナパターン１２２に電流が流れ、それにより、ＩＣチップ１２１に電力が供給され、ＩＣチップ１２１に対する情報の書き込み及び読み出しが行われる。
【００１７】
【発明が解決しようとする課題】
上述したような従来の静電誘導方式の非接触型ＩＣカードにおいては、アンテナパターンの面積が通信可能距離を決める１つの要素となるため、通信可能距離を延ばすためにはアンテナパターンの面積を大きくしなければならず、そのため、非接触型ＩＣカードに所定の情報を印字する場合、アンテナパターンが形成された面ではなく、アンテナパターンが形成されていない部分に情報が印字されている。
【００１８】
そのため、アンテナパターンが形成されたスペースと情報が印字されるスペースとがそれぞれ独立して必要となり、カードのレイアウトに制約が生じてしまうという問題点がある。
【００１９】
また、電磁誘導方式の非接触型ＩＣカードにおいては、アンテナパターンが金属エッチング等によって形成されているため、エッチング用の版を作製する等多額の費用がかかってしまうとともに作製期間が長くなってしまうという問題点がある。
【００２０】
本発明は、上述したような従来の技術が有する問題点に鑑みてなされたものであって、アンテナパターンが設けられたスペースを他の用途にも利用することができるとともにその作製コストの削減及び作製期間の短縮を図ることができる記録媒体を提供することを目的とする。
【００２１】
【課題を解決するための手段】
上記目的を達成するために本発明は、
情報の読み出しが可能なＩＣチップと、前記ＩＣチップが搭載される基材上に互いに所定の間隔を有して形成され、前記ＩＣチップと電気的に接続された導電性の２つのアンテナパターンとからなり、前記アンテナパターンが前記ＩＣチップに対する情報の読み出しを行う装置に近接した際に前記アンテナパターンと前記装置との間にて静電誘導を生じさせることにより前記ＩＣチップに対する情報の読み出しが行われる記録媒体において、
前記アンテナパターンの内部に、当該アンテナパターンの部分的な欠落により所定の情報が表示されていることを特徴とする。
【００２９】
（作用）
上記のように構成された本発明においては、記録媒体に非接触状態にて情報の書き込み及び読み出しを行うために設けられたアンテナパターンの形状が、レーザ光が照射されることによって加工されるので、アンテナパターン内に所望の情報を表示することができ、それにより、アンテナパターンがアンテナとして機能する以外に所定の情報を表示するものとなり、アンテナパターンが設けられたスペースが有効に活用され、また、アンテナパターンを形成するためのエッチング用の版を作製する必要がなく、それにより、アンテナパターンの作製コストの削減及び作製期間の短縮が図られるとともに、アンテナパターンが高精度に形成される。
【００３０】
また、アンテナパターンのうち表示する情報に基づく部分にレーザ光を照射し、レーザ光が照射された部分のアンテナパターンを除去することにより所定の情報を表示するように構成すれば、アンテナパターン内に表示する情報を変更する場合、レーザ光の照射部分の設定を変更するだけでよい。
【００３１】
また、アンテナパターンのうち表示する情報に基づく部分が欠落したアンテナパターンを基材上に印刷することによりアンテナパターン内に所定の情報を表示すれば、アンテナパターン内に表示する情報を変更する場合、基材に対する印刷情報を変更するだけでよい。
【００３２】
【発明の実施の形態】
以下に、本発明の実施の形態について図面を参照して説明する。
【００３３】
（第１の実施の形態）
図１は、本発明の記録媒体の第１の実施の形態である静電結合方式の非接触型ＩＣカードの一例を示す図であり、（ａ）は表面構造を示す図、（ｂ）は断面図である。
【００３４】
図１に示すように本形態においては、シート状の紙やプラスチックフィルム等からなるベース材１５に、導電性を有するアンテナパターン１２ａ，１２ｂが互いに所定の間隔を有して形成されており、そのアンテナパターン１２ａ，１２ｂを跨ぐように、接点１６ａ，１６ｂを介してアンテナパターン１２ａ，１２ｂとそれぞれ接続されたＩＣチップ１１が接着剤１４によって剥離可能に接着されている。また、アンテナパターン１２ａ，１２ｂにおいては、その内部において、非接触型ＩＣカード１０のユーザ名１７と、該ユーザを識別するためのＩＤ番号１８とが、アンテナパターン１２ａ，１２ｂの部分的な欠落によって表示されている。
【００３５】
上記のように構成された静電結合方式の非接触型ＩＣカード１０においては、外部に設けられた情報書込／読出装置（不図示）に近接した場合に、アンテナパターン１２ａ，１２ｂと情報書込／読出装置のアンテナとの間にてコンデンサ原理で帯電が生じ、それにより、ＩＣチップ１１に対する情報の書き込み及び読み出しが行われる。
【００３６】
以下に、上記のように構成された非接触型ＩＣカード１０の製造方法について説明する。
【００３７】
図２は、図１に示した非接触型ＩＣカード１０の製造方法の一例を説明するためのフローチャートであり、図３は、図２に示したそれぞれのステップにおける非接触型ＩＣカード１０の状態を示す図である。
【００３８】
まず、金属被膜あるいは金属エッチングによって、ベース材１５上に、導電性を有するアンテナパターン１２ａ，１２ｂを互いに所定の間隔を設けて形成する（ステップＳ１）（図３（ａ））。なお、金属被膜によるアンテナパターン１２ａ，１２ｂの形成は、化学メッキや、スパッタリング、真空蒸着、イオンプレーティング、転写法あるいは導電剤塗装等の方法によって行われる。
【００３９】
次に、ベース材１５上に、アンテナパターン１２ａ，１２ｂを跨ぐようにＩＣチップ１１を搭載する（ステップＳ２）（図３（ｂ））。なお、アンテナパターン１２ａ，１２ｂとＩＣチップ１１とは、接点１６ａ，１６ｂを介して互いに電気的に接続されるように接着剤１４によって剥離可能に接着される。
【００４０】
次に、ＩＣチップ１１に対して、外部に設けられた情報書込／読出装置（不図示）によって所定の情報を電気的に書き込む（ステップＳ３）。なお、ＩＣチップ１１に対する情報の書き込みにおいては、非接触型ＩＣカード１０を情報書込／読出装置に近接させ、情報書込／読出装置に設けられたアンテナ（不図示）とアンテナパターン１２ａ，１２ｂ間をコンデンサ原理で帯電させてＩＣチップ１１内に電流を流すことにより行われる。
【００４１】
その後、ＩＣチップ１１に書き込まれた情報を読み取り、ベース材１５上に形成されたアンテナパターン１２ａ，１２ｂに対してレーザ光を照射してアンテナパターン１２ａ，１２ｂのうちＩＣチップ１１から読み取られた情報に基づく形状を除去し、それにより、アンテナパターン１２ａ，１２ｂ内に、アンテナパターン１２ａ，１２ｂが除去されたことにより表現されるユーザ名１７及びＩＤ番号１８を表示する（ステップＳ４）（図３（ｃ））。なお、ユーザ名１７及びＩＤ番号１８が該ユーザ名１７及びＩＤ番号１８を識別可能な識別情報と対応づけて登録されたデータベースを設け、ＩＣチップ１１にはこの識別情報のみを書き込んでおき、ＩＣチップ１１から識別情報を読み取り、該識別情報に対応づけられたデータベースに登録されたユーザ名１７及びＩＤ番号１８に基づく形状を除去することも考えられる。
【００４２】
ここで、ステップＳ２におけるアンテナパターン１２ａ，１２ｂの除去について詳細に説明する。
【００４３】
アンテナパターン１２ａ，１２ｂの除去は、アンテナパターン１２ａ，１２ｂに対してユーザ名１７及びＩＤ番号１８を書き込むようにレーザ光を照射することにより、アンテナパターン１２ａ，１２ｂのうちレーザ光が照射された部分、すなわち、ユーザ名１７及びＩＤ番号１８の形状が昇華除去されることによって行われる。アンテナパターン１２ａ，１２ｂは、金属箔や金属蒸着層やカーボン等から構成されており、その厚さに応じてレーザ光の出力及び走査速度が決められている。
【００４４】
表１に、ＣＯ2レーザを用いた場合における金属箔及び金属蒸着層の厚さとレーザ光の出力及び走査速度との関係を示す。
【００４５】
【表１】
0004817351.tif 000002
アンテナパターン１２ａ，１２ｂが形成されたベース材１５を制御装置（不図示）の制御によってＸＹ方向に移動可能なテーブル（不図示）に固定し、テーブルに固定されたベース材１５に対して、ＸＹＺ方向にスキャン機構を有するＣＯ2レーザを照射する。
【００４６】
ベース材１５が固定されたテーブルは、制御装置における表１に示した条件に基づく制御によってユーザ名１７及びＩＤ番号１８の印刷情報に基づいて移動するため、ユーザ名１７及びＩＤ番号１８が書き込まれるようにレーザ光がアンテナパターン１２ａ，１２ｂに照射されることになる。なお、制御装置においては、表１に示した条件と、ユーザ名１７及びＩＤ番号１８からなる印刷情報とが予め設定されており、この設定に基づいてテーブルの移動を制御するため、アンテナパターン１２ａ，１２ｂに表示されるユーザ名１７やＩＤ番号１８等の印刷情報を変更する場合は、制御装置に設定された印刷情報を変更するだけでよい。
【００４７】
このように製造された非接触型ＩＣカード１０は、非接触状態にて情報の書き込み及び読み出しを行うためのアンテナパターン１２ａ，１２ｂ内に、所望の情報であるユーザ名１７やＩＤ番号１８が表示されるため、アンテナパターン１２ａ，１２ｂがアンテナとして機能する以外に所定の情報を表示するものとなり、アンテナパターンが設けられたスペースを有効に活用することができる。
【００４８】
なお、本例においては、ベース材１５上にＩＣチップ１１を搭載し、ＩＣチップ１１に所定の情報を書き込んだ後にアンテナパターン１２ａ，１２ｂ内にユーザ名１７及びＩＤ番号１８を形成しているが、アンテナパターン１２ａ，１２ｂ内にユーザ名１７及びＩＤ番号１８を形成した後に、ＩＣチップ１１を搭載し、ＩＣチップ１１に所定の情報を書き込むことも考えられる。
【００４９】
図４は、図１に示した非接触型ＩＣカード１０の製造方法の他の例を説明するためのフローチャートである。
【００５０】
まず、熱転写プリンタにおいて導電性のインクリボンを用いて、ベース材１５上に、アンテナパターン１２ａ，１２ｂを互いに所定の間隔を設けて印刷する（ステップＳ１１）。なお、ベース材１５上に印刷されるアンテナパターン１２ａ，１２ｂにおいては、図１（ａ）に示すように、ユーザ名１７及びＩＤ番号１８の文字が欠落したような形状となっており、これは、熱転写プリンタに対して、ベース材１５に印刷されるアンテナパターン１２ａ，１２ｂの印刷情報がこのような形状として予め入力されている。
【００５１】
次に、ベース材１５上に、アンテナパターン１２ａ，１２ｂを跨ぐようにＩＣチップ１１を搭載する（ステップＳ１２）。なお、アンテナパターン１２ａ，１２ｂとＩＣチップ１１とは、接点１６ａ，１６ｂを介して互いに電気的に接続されるように接着剤１４によって剥離可能に接着される。
【００５２】
その後、ＩＣチップ１１に対して、外部に設けられた情報書込／読出装置（不図示）によって所定の情報を電気的に書き込む（ステップＳ１３）。
【００５３】
本例においては、ユーザ名１７及びＩＤ番号１８の印刷情報が予め熱転写プリンタに与えられ、これらがベース材１５に対するアンテナパターン１２ａ，１２ｂの印刷に伴ってベース材１５上に表示されることになるため、工程数を削減することができるとともに、手間とコストの削減を図ることができる。また、アンテナパターン１２ａ，１２ｂに表示されるユーザ名１７やＩＤ番号１８等の印刷情報を変更する場合は、熱転写プリンタに与える印刷情報を変更するだけでよい。
【００５４】
（第２の実施の形態）
図５は、本発明の記録媒体の第２の実施の形態である電磁誘導方式の非接触型ＩＣカードの製造方法を説明するためのフローチャートであり、図６は、図５に示したそれぞれのステップにおける非接触型ＩＣカードの状態を示す図である。
【００５５】
まず、金属被膜あるいは金属エッチングによって、ベース材２５上に、所定の形状を有する導電性パターン２７を形成する（ステップＳ２１）（図６（ａ））。なお、ステップＳ２１にて形成される導電性パターン２７の形状は、電磁結合方式の非接触型ＩＣカードのアンテナパターンが形成される部分を含む形状とする。
【００５６】
次に、ベース材２５上に形成された導電性パターン２７に対してレーザ光を照射して導電性パターン２７のうち所定の形状を除去し、それにより、アンテナパターン２２を形成する（ステップＳ２２）（図６（ｂ））。
【００５７】
ここで、ステップＳ２２におけるアンテナパターン２２の形成について詳細に説明する。
【００５８】
アンテナパターン２２の形成は、導電性パターン２７のうちアンテナパターン２２が形成される以外の部分にレーザ光を照射することにより、導電性パターン２７のうちレーザ光が照射された部分、すなわち、アンテナパターン２２とならない部分が昇華除去されることによって行われる。
【００５９】
次に、ベース材２５上に形成されたアンテナパターン２２上にＩＣチップ２１を搭載する（ステップＳ２３）（図６（ｃ））。なお、アンテナパターン２２とＩＣチップ２１とは、接点（不図示）を介して互いに電気的に接続されるように接着剤によって接着される。また、ＩＣチップ２１が搭載された表面を、表面の摩耗を防止するために透明フィルムによりラミネート加工することも考えられる。
【００６０】
その後、ＩＣチップ２１に対して、外部に設けられた情報書込／読出装置（不図示）によって所定の情報を電気的に書き込む（ステップＳ２４）。なお、ＩＣチップ２１に対する情報の書き込みにおいては、非接触型ＩＣカード２０を情報書込／読出装置に近接させ、情報書込／読出装置から出力される電磁波によってアンテナパターン２２に電流を流し、それにより、ＩＣチップ２１に電力を供給することにより行われる。
【００６１】
本形態においては、ベース材２５上に形成されるアンテナパターン２２が、アンテナパターン２２が形成される領域を含む導電性パターン２７が形成された後に、導電性パターン２７のうち、アンテナパターン２２が形成されない部分がレーザ光によって除去されることによって形成されるので、アンテナパターン２２を形成するためのエッチング用の版を作製する必要がなく、アンテナパターンの作製コストの削減及び作製期間の短縮を図ることができるとともに、高精度にアンテナパターン２２を形成することができる。
【００６２】
なお、上述した第１及び第２の実施の形態においては、非接触状態にて情報の書き込み及び読み出しが可能な記録媒体として非接触型ＩＣカードを例に挙げて説明したが、本発明はこれに限らず、瓶のような曲面に貼付可能なＩＣラベルや、キーホルダーのようなＩＣタグ等においても、非接触状態にて情報の書き込み及び読み出しが可能なものであれば、本発明を適用することができる。
【００６３】
【発明の効果】
以上説明したように本発明においては、記録媒体に非接触状態にて情報の書き込み及び読み出しを行うために設けられたアンテナパターンの形状が、レーザ光が照射されることによって加工される構成としたため、アンテナパターン内に所望の情報を表示することができ、それにより、アンテナパターンがアンテナとして機能する以外に所定の情報を表示するものとなり、アンテナパターンが設けられたスペースを有効に活用することができ、また、アンテナパターンを形成するためのエッチング用の版を作製する必要がなく、それにより、アンテナパターンの作製コストの削減及び作製期間の短縮を図ることができるとともに、高精度にアンテナパターンを形成することができる。
【００６４】
また、アンテナパターンのうち表示する情報に基づく部分にレーザ光を照射し、レーザ光が照射された部分のアンテナパターンを除去することにより所定の情報を表示するものにおいては、レーザ光の照射部分の設定を変更するだけで、アンテナパターン内に表示する情報を変更することができる。
【００６５】
また、アンテナパターンのうち表示する情報に基づく部分が欠落したアンテナパターンを基材上に印刷することによりアンテナパターン内に所定の情報を表示するものにおいては、工程数、手間及びコストの削減を図ることができるとともに、基材に対する印刷情報を変更するだけで、アンテナパターン内に表示する情報を変更することができる。
【図面の簡単な説明】
【図１】本発明の記録媒体の第１の実施の形態である静電結合方式の非接触型ＩＣカードの一例を示す図であり、（ａ）は表面構造を示す図、（ｂ）は断面図である。
【図２】図１に示した非接触型ＩＣカードの製造方法の一例を説明するためのフローチャートである。
【図３】図２に示したそれぞれのステップにおける非接触型ＩＣカードの状態を示す図である。
【図４】図１に示した非接触型ＩＣカードの製造方法の他の例を説明するためのフローチャートである。
【図５】本発明の記録媒体の第２の実施の形態である電磁誘導方式の非接触型ＩＣカードの製造方法を説明するためのフローチャートである。
【図６】図５に示したそれぞれのステップにおける非接触型ＩＣカードの状態を示す図である。
【図７】静電結合方式の非接触型ＩＣカードの構造の一例を示す図であり、（ａ）は表面構造を示す図、（ｂ）は断面図である。
【図８】図７に示した非接触型ＩＣカードの製造方法を説明するためのフローチャートである。
【図９】電磁誘導方式の非接触型ＩＣカードの構造の一例を示す図であり、（ａ）は表面構造を示す図、（ｂ）は断面図である。
【符号の説明】
１０，２０    非接触型ＩＣカード
１１，２１    ＩＣチップ
１２ａ，１２ｂ，２２    アンテナパターン
１４    接着剤
１５，２５    ベース材
１６ａ，１６ｂ    接点
１７    ユーザ名
１８    ＩＤ番号
２７    導電性パターン
【図１】
0004817351.tif 000003
【図２】
0004817351.tif 000004
【図３】
0004817351.tif 000005
【図４】
0004817351.tif 000006
【図５】
0004817351.tif 000007
【図６】
0004817351.tif 000008
【図７】
0004817351.tif 000009
【図８】
0004817351.tif 000010
【図９】
0004817351.tif 000011